(57)【要約】【課題】シートを容易、かつ、速やかに取り出せるシート取出具を提供する。【解決手段】シート取出具１は、収容部１０と、可動部材４とを備えている。収容部１０は、複数枚のシート７１を重なった状態で収容する。可動部材４には、付着材６が設けられる。可動部材４は、複数枚のシート７から離れた第１位置と、この第１位置よりも複数枚のシート７に近づいた第２位置との間で移動可能である。可動部材４は、第２位置に動かされた時に、複数枚のシート７のうちの一枚のシート７を付着材６を介して保持する。【選択図】図１
2020033125.tif 000002
【特許請求の範囲】
【請求項１】
複数枚のシートを重なった状態で収容する収容部と、
付着材が設けられる可動部材とを備え、
前記可動部材は、前記複数枚のシートから離れた第１位置と、この第１位置よりも前記複数枚のシートに近づいた第２位置との間で移動可能であり、
前記可動部材は、前記第２位置に動かされた時に、前記複数枚のシートのうちの一枚のシートを前記付着材を介して保持する、
シート取出具。
【請求項２】
前記複数枚のシートは、複数枚の咬合紙である、
請求項１に記載のシート取出具。
【請求項３】
前記可動部材は、回転可能であって、回転することで前記第１位置及び前記第２位置に移動する、
請求項１又は請求項２に記載のシート取出具。
【請求項４】
前記可動部材の重心は、前記可動部材の回転中心を挟んで、前記可動部材における前記付着材が設けられる箇所とは反対側に位置し、
前記可動部材は、前記一枚のシートを保持した状態において、前記第２位置から前記第１位置まで前記可動部材の自重により回転する、
請求項３に記載のシート取出具。
【請求項５】
前記可動部材に前記付着材を介して保持された前記一枚のシートにおける前記付着材とは反対側の面に当該一枚のシートとは別のシートが付いた状態において、前記可動部材が前記第２位置から前記第１位置まで回転した時に、前記別のシートに接触する接触部を更に備えた、
請求項３又は請求項４に記載のシート取出具。
【請求項６】
前記収容部は、サイズの異なる複数種類のシートを収容可能である、
請求項１〜５のいずれか１項に記載のシート取出具。
【発明の詳細な説明】
【技術分野】
【０００１】
本開示は、シート取出具に関し、詳しくは、複数枚重ねて配置されたシートから一枚のシートを取り出すためのシート取出具に関する。
【背景技術】
【０００２】
特許文献１には、歯の噛み合わせの調整に使用される咬合紙が開示されている。
【先行技術文献】
【特許文献】
【０００３】
【特許文献１】特開２０１４−１８４１０４号公報
【発明の概要】
【発明が解決しようとする課題】
【０００４】
咬合紙等の厚みの小さいシートは、例えば、上下に複数枚重なった積層状態で、配置される場合がある。このように配置された複数枚のシートのうち、一枚のシートだけを利用する場合、利用者は、例えば、複数枚のシートのうち最も上に配置されたシートを、咬合紙ホルダー、ピンセット、手の指等で摘まんで取る。しかし、このように一枚のシートだけを取る作業は、容易ではなく、手間と時間を要する。
【０００５】
本開示は上記事由に鑑みてなされており、シートを容易、かつ、速やかに取り出せるシート取出具を提供することを目的とする。
【課題を解決するための手段】
【０００６】
本開示の一態様に係るシート取出具は、収容部と、可動部材とを備えている。前記収容部は、複数枚のシートを重なった状態で収容する。前記可動部材には、付着材が設けられる。前記可動部材は、前記複数枚のシートから離れた第１位置と、この第１位置よりも前記複数枚のシートに近づいた第２位置との間で移動可能である。前記可動部材は、前記第２位置に動かされた時に、前記複数枚のシートのうちの一枚のシートを前記付着材を介して保持する。
【発明の効果】
【０００７】
前記一態様に係るシート取出具は、シートを容易、かつ、速やかに取り出せる。
【図面の簡単な説明】
【０００８】
【図１】図１は、本開示の一実施形態に係るシート取出具の斜視図である。
【図２】図２Ａは、同上のシート取出具の可動部材が第１位置に位置した状態を示した断面図である。図２Ｂは、同上のシート取出具の可動部材が第２位置に位置した状態を示した断面図である。
【図３】図３Ａは、同上のシート取出具に第２シートを収容した状態を示した断面図である。図３Ｂは、同上のシート取出具において、別のシートが付いた状態でシートが取り出される様子を示した断面図である。図３Ｃは、図３Ｂの部分拡大図である。
【図４】図４は、他の実施形態に係るシート取出具の斜視図である。
【発明を実施するための形態】
【０００９】
まず、第１実施形態について説明する。図１に示す本実施形態のシート取出具１は、収容部１０と、可動部材４とを備えている。収容部１０は、複数枚のシート７を重なった状態で収容する。ここで、本開示において「複数枚のシートが重なった状態」とは、隣り合うシート７同士が直接接触する場合はもちろん、隣り合うシート７の間にシート７以外のシートが存在する場合も含まれる。可動部材４には、付着材６が設けられる。可動部材４は、複数枚のシート７から離れた第１位置と、この第１位置よりも複数枚のシート７に近づいた第２位置との間で移動可能である。可動部材４は、第２位置に動かされた時に、複数枚のシート７のうちの一枚のシート７を付着材６を介して保持する。
【００１０】
本実施形態のシート取出具１では、可動部材４が第１位置から第２位置まで動かされることで、収容部１０に収容された複数枚のシート７のうちの一枚のシート７が、可動部材４に付着材６を介して保持される。この後、可動部材４が第２位置から第１位置まで移動することにより、可動部材４で保持された一枚のシート７は、収容部１０から取り出される。このため、利用者は、シート取出具１を利用して、複数枚のシート７のうちの一枚のシート７のみを容易、かつ、速やかに、取り出すことができる。
【００１１】
以下、本実施形態のシート取出具１について詳述する。なお、以下では、シート取出具１が水平な設置面上に設置された状態における方向を用いて、説明する。具体的には、図１に示す方向を用いて説明する。
【００１２】
本実施形態のシート取出具１は、本体２と、本体２に取り付けられた可動部材４とを備えている。本体２及び可動部材４は、金属製であり、変形しにくい。このため、高圧蒸気を利用して本体２及び可動部材４の滅菌処理を行うことで、シート取出具１を医療器材として衛生的に利用できる。本実施形態の本体２及び可動部材４は、共にステンレス製であり、耐食性及び耐薬品性に優れている。
【００１３】
本体２は、金属板（詳しくはステンレス板）を加工することで、直方体状で上方に開口した箱状に形成されている。本体２は、底部２１と複数の壁部２２〜２６とを有している。底部２１は、上方から見て前後方向に延びた長方形状で、かつ、水平な板状に形成されている。本体２は、底部２１の下面が設置面に接した状態で、設置面上に設置される。
【００１４】
本体２は、複数の壁部２２〜２６として、前壁部２２、左壁部２３、右壁部２４、第１内壁部２５及び第２内壁部２６を有している。各壁部２２〜２６は、長方形状で、かつ、底部２１に対して垂直な板状に形成されている。前壁部２２は、底部２１の前縁部から上方に突出している。左壁部２３は、底部２１の左縁部から上方に突出し、右壁部２４は、底部２１の右縁部から上方に突出している。前壁部２２の左右方向の両端部は、左壁部２３及び右壁部２４にそれぞれつながっている。前壁部２２、左壁部２３及び右壁部２４によって、後方に開口した、本体２の周壁が構成されている。
【００１５】
第１内壁部２５は、左壁部２３と右壁部２４との間に位置しており、底部２１における前後方向の中間部から上方に突出している。第１内壁部２５の左右方向の両端部は、左壁部２３及び右壁部２４にそれぞれつながっている。第１内壁部２５の上端、前壁部２２の上端、左壁部２３の上端及び右壁部２４の上端は、同じ高さに位置している。
【００１６】
第２内壁部２６は、底部２１、前壁部２２、左壁部２３、右壁部２４及び第１内壁部２５によって囲まれた領域２７に位置しており、底部２１における前壁部２２と第１内壁部２５との間の部分から上方に突出している。第２内壁部２６の上端は、第１内壁部２５の上端よりも下方に位置している。具体例として、第１内壁部２５は、底部２１から上方に３０ｍｍ突出しており、第２内壁部２６は、底部２１から上方に１５ｍｍ突出している。第２内壁部２６の左右方向の両端部は、左壁部２３及び右壁部２４にそれぞれつながっている。領域２７の下部は、第２内壁部２６によって、第２内壁部２６の前方の領域２８と、第２内壁部２６の後方の領域２９とに仕切られている。
【００１７】
本実施形態の収容部１０は、本体２で構成されている。本体２は、第１収容部３１と、第２収容部３２とを有している。第１収容部３１は、シート７として、第１シート７１を収容可能であり、第２収容部３２は、シート７として、第１シート７１とは種類の異なる第２シート７２（図３Ａ参照）を収容可能である。つまり、本体２は、複数種類のシート７を収容可能である。
【００１８】
第１シート７１及び第２シート７２の各々は、歯科治療において一般的に利用されている感圧式の咬合紙である。すなわち、本実施形態のシート取出具１は、咬合紙取出具である。本実施形態の第１シート７１及び第２シート７２の各々は、長方形状の咬合紙である。第１シート７１と第２シート７２とは、長さと幅のうち、長さのみが異なる。第１シート７１及び第２シート７２の各々は、例えば、基材と、着色材とを有する。基材は、樹脂フィルム、紙等である。着色材は、例えば、顕色剤を含むマイクロカプセル、カーボンインキ等であり、基材の両面に付与される。
【００１９】
第１収容部３１は、上方に開口した凹部であり、底部２１、左壁部２３及び右壁部２４の各々における第２内壁部２６よりも前方の部分と、前壁部２２と、第２内壁部２６とで構成されている。第１収容部３１（領域２８）には、図１に示すように、複数枚の第１シート７１が上下に重なった状態で収容される。
【００２０】
前壁部２２と第２内壁部２６との間隔（第１収容部３１の前後方向の内法）は、第１シート７１の長さと略同じであり、左壁部２３と右壁部２４との間隔（第１収容部３１の左右方向の内法）は、第１シート７１の幅と略同じである。複数枚の第１シート７１が第１収容部３１に収容された状態では、各第１シート７１は、底部２１の上面と略平行になり、各第１シート７１の左縁、右縁、前縁及び後縁は、それぞれ左壁部２３、右壁部２４、前壁部２２及び第２内壁部２６に沿って配置される。
【００２１】
第２収容部３２は、上方に開口した凹部であり、底部２１、左壁部２３及び右壁部２４の各々における第１内壁部２５よりも前方の部分と、前壁部２２と、第１内壁部２５と、第２内壁部２６とで構成されている。すなわち、本実施形態の第１収容部３１は、第２収容部３２の一部である。第２収容部３２には、図３Ａに示すように、複数枚の第２シート７２が上下に重なった状態で収容される。前壁部２２と第２内壁部２６との間隔は、第２シート７２の長さよりも短い。
【００２２】
複数枚の第２シート７２が第２収容部３２に収容された状態では、複数枚の第２シート７２は、第２内壁部２６によって下方から支持される。このため、複数枚の第２シート７２は、各第２シート７２が前端に近い部分ほど下方に位置するように傾いた状態で、第２収容部３２に収容される。また、複数枚の第２シート７２は、各第２シート７２の左縁、右縁及び前縁が、それぞれ左壁部２３、右壁部２４及び前壁部２２に沿った状態で、第２収容部３２に収容される。
【００２３】
なお、第１収容部３１及び第２収容部３２の各々には、上下に隣り合う２枚のシート７同士が接触した状態で、複数枚のシート７が収容されてもよいし、上下に隣り合う２枚のシート７の間にシート７（咬合紙）以外のシートが存在する状態で複数枚のシート７が収容されてもよい。シート７以外のシートは、例えば、セパレート紙等のシート７と形状及び大きさが同じシートであり、その外周縁とシート７の外周縁とが揃った状態で収容部１０に収容される。
【００２４】
本体２には、可動部材４が回転可能に取り付けられている。これにより、可動部材４は、本体２によって回転可能に支持されている。図１に示すように、本実施形態の可動部材４は、前後方向に延びた平板状に形成されており、金属板（詳しくはステンレス板）を加工することで形成される。可動部材４は、上方から見て左壁部２３と右壁部２４の間に位置し、かつ、前壁部２２よりも後方に位置している。
【００２５】
本実施形態の可動部材４は、可動部材４の主体を構成する主部４０と、主部４０から前方に突出した突出部４１とを有している。主部４０及び突出部４１の各々は、前後方向に延びた長方形の板状に形成されている。突出部４１は、可動部材４の前端部を構成する。突出部４１の幅は、主部４０の幅よりも小さく、シート７の幅よりも小さい。突出部４１は、主部４０の前端の左右方向の中間部から前方に突出している。可動部材４における突出部４１の左右両側には、一対の切欠部４２がそれぞれ形成されている。
【００２６】
本実施形態のシート取出具１は、蝶番５を備えている。蝶番５は、金属製であり、詳しくはステンレス製である。可動部材４の長さ方向の中間部は、蝶番５を介して第１内壁部２５の上端部に取り付けられている。これにより、可動部材４は、本体２に対して左右方向に延びた回転軸１３を中心に回転可能に取り付けられている。本実施形態の可動部材４の回転軸１３は、第１内壁部２５よりも上方に位置している。
【００２７】
可動部材４は、付着材６が取り付けられる取付部１１を有している。本実施形態の取付部１１は、突出部４１で構成されている。本実施形態のシート取出具１は、突出部４１（取付部１１）に取り付けられた付着材６を備えている。付着材６は、ワックスから形成されている。本実施形態の付着材６は、例えば、歯の型を採るために印象材として用いられる歯科用ユーティリティワックスから形成され、粘着性、柔軟性及び展延性を有した粘着部材である。具体例として、付着材６は、山八歯材工業株式会社製のプロユーティリティワックスから形成されている。付着材６は、自身の粘着力により、突出部４１の前端部の下面に着脱可能に取り付けられており、突出部４１から下方に突出している。
【００２８】
可動部材４は、収容部１０に複数枚のシート７が収容された状態において、図２Ａ及び図３Ａに示す第１位置と、図２Ｂに示す第２位置との間で、回転できる。可動部材４が図２Ａ及び図３Ａに示すように第１位置に回転した時、可動部材４は前端に近い部分ほど上方に位置するように、水平面に対して傾く。この時、可動部材４は、可動部材４の後端部が底部２１の上面に接触することにより、第２位置とは反対側への回転が規制される。また、この時、突出部４１は、本体２よりも上方で、かつ、複数枚のシート７から上方に離れた位置に配置される。
【００２９】
可動部材４が図２Ｂに示すように第２位置に回転した時、可動部材４は前端に近い部分ほど下方に位置するように、水平面に対して傾く。この時、突出部４１は、本体２の内部で、かつ、可動部材４が第１位置に位置する時よりも複数枚のシート７に近づいた位置に配置される。
【００３０】
本実施形態の可動部材４の回転中心（回転軸１３）は、可動部材４における前後方向の中心よりも前方に位置している。可動部材４の重心は、可動部材４の回転中心よりも後方に位置している。すなわち、可動部材４の重心は、可動部材４の回転中心を挟んで、可動部材４における付着材６が取り付けられる箇所（突出部４１）とは反対側に位置している。このため、可動部材４には、可動部材４の自重により、図２Ｂに示す第２位置から図２Ａ及び図３Ａに示す第１位置に向かう回転力が常に作用する。
【００３１】
可動部材４に対して外力が加わっていない状態では、図２Ａ及び図３Ａに示すように、可動部材４の自重により、可動部材４が第１位置まで回転する。本体２に重ねて収容された複数枚のシート７のうちの一枚のシート７は、例えば、以下に示すように取り出される。
【００３２】
まず、利用者は、図２Ａ及び図３Ａに示すように、第１位置に配置された可動部材４における回転中心よりも前方の部分を手の指を用いて下方に押し、可動部材４を図２Ｂに示すように第２位置まで回転させる。すると、取付部１１は、下降し、取付部１１に取り付けられた付着材６が、本体２に積層状態で収容された複数枚のシート７のうち最も上方に位置するシート７の上面に付着（粘着）する。これにより、本体２に収容された複数枚のシート７のうち最も上方に位置する一枚のシート７のみが、取付部１１によって付着材６を介して保持される。このように可動部材４に一枚のシート７が保持された状態では、当該一枚のシート７の前端部は、可動部材４よりも前方に突出する。
【００３３】
続いて利用者は、可動部材４から手の指を離して、可動部材４に対して加えていた下向きの力を解除する。すると、可動部材４は、一枚のシート７が付着材６を介して突出部４１に取り付けられたまま、自重により、図１に示す第１位置まで回転する。これにより、突出部４１は上昇し、付着材６に取り付けられた一枚のシート７が、本体２よりも上方に移動する。
【００３４】
次に利用者は、付着材６に取り付けられた一枚のシート７を、咬合紙ホルダー、ピンセット等の保持具を用いて、付着材６から取り外す。この場合、可動部材４の突出部４１の両側には、切欠部４２が形成されているため、保持具等が可動部材４に接触し難く、容易にシート７を付着材６から取り外すことができる。
【００３５】
本実施形態のシート取出具１では、利用者は、可動部材４を操作して突出部４１を第１位置から第２位置に移動するだけで、収容部１０に収容された複数枚のシート７のうちの一枚のシート７を容易に取り出すことができる。また、この場合、医療用品であるシート７（咬合紙）を直接手で触ることなく、突出部４１を第１位置から第２位置まで移動でき、衛生的である。また、付着材６の粘着力は、シート７を付着材６から取り外した後においても、低下し難い。このため、利用者は、上述した可動部材４の操作を繰り返し行うことにより、シート７を一枚ずつ容易に取り出すことができる。
【００３６】
上述のように複数枚のシート７のうちの一枚のシート７が付着材６に取り付けられた後には、図３Ｂに示すように、当該シート７の下面（付着材６とは反対側の面）に、例えば静電気により、一枚下の別のシート８（シート７以外のシート又は他のシート７）が引っ付くことがある。このように付着材６に取り付けられたシート７に別のシート８が付いたまま、可動部材４が第２位置から第１位置まで回転すると、取り出したいシート７と一緒に別のシート８が取り出されてしまう。すなわち、シート７を一枚のみ持ち上げることができない。
【００３７】
このため、本実施形態のシート取出具１は、接触部１２を備えている。本実施形態の接触部１２は、前壁部２２である。図３Ｃに示すように、突出部４１に付着材６を介して保持された一枚のシート７の下面に別のシート８が付いた状態において、可動部材４が第２位置から第１位置まで回転した時、別のシート８が前壁部２２（接触部１２）の後面に接触する。すなわち、可動部材４が第２回位置に位置した時における突出部４１の位置よりも、可動部材４の回転中心が上方に位置するため、可動部材４が第２位置から第１位置に向かって回転した時、付着材６に取り付けられたシート７及び別のシート８は、わずかながら前方に移動しながら上昇する。このため、別のシート８は、可動部材４が第２位置から第１位置まで回転した時、可動部材４の回転中心よりも下方に位置した前壁部２２の後面に接触する。この接触により、別のシート８は、付着材６に取り付けられたシート７から剥がれ落ちる。したがって、本実施形態のシート取出具１は、一枚のシート７だけを取り出しやすい。なお、この場合、付着材６に取り付けられたシート７も、前壁部２２の後面に接触する場合があるが、このシート７は、付着材６の粘着力によって付着材６から外れない。したがって、付着材６に取り付けられたシート７が前壁部２２の後面に接触する場合であっても、一枚のシート７だけを取り出すことができる。
【００３８】
次に第２実施形態について説明する。図４に示す本実施形態のシート取出具１Ａは、金属製（例えば、ステンレス製）であり、本体２Ａと、本体２Ａにつながった可動部材４Ａとを備えている。
【００３９】
本実施形態の本体２Ａは、複数枚のシート７Ａを重なった状態で収容する収容部１０Ａを構成している。本体２Ａに収容される複数枚のシート７Ａの各々は、上方から見て長方形状である。
【００４０】
本体２Ａは、底部２１Ａと複数の壁部２２Ａとを有している。本体２Ａは、底部２１Ａの下面が設置面に接した状態で、設置面に設置される。底部２１Ａは、上方から見て本体２Ａに収容されるシート７Ａと合致する仮想長方形の一対の対角線と重複するＸ字状で、かつ、水平な板状に形成されている。底部２１Ａは、一対の片部２１０Ａを有している。一対の片部２１０Ａの各々は、上方から見て直線状に延びており、一対の片部２１０Ａは上記仮想長方形の中心において交差している。
【００４１】
本体２Ａは、複数の壁部２２Ａとして、一方の片部２１０Ａの長さ方向の両端部にそれぞれ形成された一対の壁部２２Ａと、他方の片部２１０Ａの長さ方向の両端部にそれぞれ形成された他の一対の壁部２２Ａとを有している。複数の壁部２２Ａの各々は、対応する片部２１０Ａの長さ方向の端部から上方に突出している。各壁部２２Ａは、上方から見て、上記仮想長方形の隣接する２辺と重なるＬ字状に形成されている。
【００４２】
本体２Ａに収容される複数枚のシート７Ａの各々は、例えば、カルテ等の紙である。紙は、洋紙又は和紙のいずれであってもよい。また、紙には、情報用紙、印刷用紙、衛生用紙等の各種の紙が含まれる。複数枚のシート７Ａが本体２Ａに収容された状態では、各シート７Ａが底部２１Ａの上面と平行になり、長方形状の各シート７Ａの４辺が複数の壁部２２Ａに沿って配置される。なお、本実施形態の本体２Ａは、サイズが異なる複数種類のシートを収容可能である。例えば、シート７Ａとはサイズが異なる長方形状のシートを本体２Ａに収容する場合、利用者は、このシートにおける一つ又は二つの角を、対応する壁部２２Ａに沿わせた状態で、本体２Ａに収容することができる。
【００４３】
可動部材４Ａは、複数の壁部２２Ａのうちの一つの壁部２２Ａの上端部から突出している。可動部材４Ａは、上方から見て上記仮想長方形の一辺に沿って延びた直線状で、かつ、水平な板状に形成さされている。可動部材４Ａは、本体２Ａの壁部２２Ａによって片持ちで支持されており、可動部材４Ａの先端は、自由端となっている。可動部材４Ａの全体は、上方から見て上記仮想長方形の一部と重なっており、可動部材４Ａの先端部４４Ａは、本体２Ａに収容された複数枚のシート７Ａの上方に位置する。
【００４４】
可動部材４Ａは、付着材６Ａが取り付けられる取付部１１Ａを有している。本実施形態の取付部１１Ａは、可動部材４Ａの先端部４４Ａで構成されている。本実施形態のシート取出具１Ａは、可動部材４Ａの先端部４４Ａに取り付けられた付着材６Ａを備えている。付着材６Ａは、例えば、第１実施形態の付着材６と同じ材料から形成される。
【００４５】
可動部材４Ａは、可撓性を有しており、先端部４４Ａが複数枚のシート７Ａから上方に離れた第１位置と、先端部４４Ａが第１位置よりも複数枚のシート７Ａに近づいた第２位置との間で移動するように、弾性変形することができる。
【００４６】
本体２Ａに重ねて収容された複数枚のシート７Ａは、例えば以下に示すように取り出される。まず、利用者は、第１位置に配置された可動部材４Ａを手の指を用いて下方に押し、図４に二点鎖線で示すように、可動部材４Ａを第２位置に位置するまで弾性変形させる。すると、可動部材４Ａの先端部４４Ａ及び先端部４４Ａに取り付けられた付着材６Ａは、下降し、本体２Ａに収容された複数枚のシート７Ａのうち最も上方に位置するシート７Ａの上面に粘着する。これにより、本体２Ａに収容された複数枚のシート７Ａのうち最も上方に位置する一枚のシート７Ａのみが、取付部１１Ａによって付着材６Ａを介して保持される。
【００４７】
続いて利用者は、可動部材４Ａから手の指を離して、可動部材４Ａに対して加えていた下向きの力を解除する。すると、撓んでいた可動部材４Ａは、一枚のシート７Ａが付着材６Ａを介して先端部４４Ａに取り付けられたまま、元の水平な形状に復元して第１位置まで移動する。これにより、可動部材４Ａの先端部４４Ａ、先端部４４Ａに取り付けられた付着材６Ａ、及び付着材６Ａに取り付けられた一枚のシート７Ａが上昇する。
【００４８】
次に利用者は、付着材６Ａに取り付けられた一枚のシート７Ａを手の指等を用いて、付着材６Ａから取り外す。本実施形態のシート取出具１Ａにあっては、利用者は、可動部材４Ａを第１位置から第２位置に移動するだけで、収容部１０Ａに収容された複数枚のシート７のうちの一枚のシート７を容易に取り出すことができる。
【００４９】
また、本実施形態のシート取出具１Ａにおける複数の壁部２２Ａは、第１実施形態における接触部１２と同様の役割を果たす。すなわち、可動部材４Ａに付着材６Ａを介して保持された一枚のシート７Ａの下面に当該シート７Ａとは別のシート（例えば、他のシート７Ａ）が付いた状態において、先端部４４Ａが第２位置から第１位置に移動したとき、別のシートは壁部２２Ａに接触して当該別のシートから剥がれ落ちる。すなわち、本実施形態では、壁部２２Ａによって接触部が構成されている。このため、本実施形態のシート取出具１Ａも、一枚のシート７Ａだけを取り出しやすい。なお、本体２Ａに収容された複数枚のシート７Ａは、Ｘ字状の底部２１Ａの四方に形成された切欠部を通して支持することで、本体２Ａから取り出すことができる。
【００５０】
上述したシート取出具１，１Ａは、適宜設計変更可能である。例えば、可動部材４，４Ａを移動させる機構は、第１実施形態及び第２実施形態に限定されない。例えば、可動部材４は、第１実施形態の可動部材４を構成する金属板と、この金属板に取り付けられる錘とで構成されてもよい。この場合、錘を金属板の重心からずれた位置に取り付けることで、可動部材４の重心を、可動部材４の回転中心を挟んで突出部４１とは反対側に位置させることができる。また、第１実施形態のシート取出具１における可動部材４は、ばね等の弾性部材の弾性力によって、第２位置から第１位置まで移動してもよい。また、可動部材４は、上下方向にスライド等することで、第１位置及び第２位置に移動してもよい。
【００５１】
また、可動部材４を移動させる動力は、人力や可動部材４の自重等に限られず、電気やばね等の他の全ての動力を採用可能である。例えば、可動部材４は、電池により駆動するモーターによって動かされてもよい。
【００５２】
また、本体２，２Ａ、可動部材４，４Ａ，蝶番５は、ステンレス製に限られず、鉄等のステンレス以外の金属から形成されもよい。また、本体２，２Ａ、可動部材４，４Ａ及び蝶番５の一部又は全部は、合成樹脂等、金属以外の材料から形成されてもよい。
【００５３】
また、付着材６，６Ａは、可動部材４，４Ａが付着材６，６Ａを介してシート７，７Ａを保持できるのであれば、ユーティリティワックス以外の材料から形成されてもよい。例えば、付着材６，６Ａは、ユーティリティワックス以外のワックス系粘着剤、合成樹脂系粘着剤、松脂等から形成されてもよい。また、付着材６，６Ａは、接着剤であってもよく、また、その他の粘着性を有する液体であってもよい。また、シート７，７Ａが軽い場合には、付着材６，６Ａは、水、粘着性を有さない水以外の溶液等であってもよい。この場合、シート７，７Ａは、液体である付着材６，６Ａの表面張力等によって、付着材６，６Ａに付着して保持される。また、付着材６，６Ａは、例えば、シート７，７Ａに吸着する吸盤等であってもよい。また、付着材６，６Ａは、可動部材４に取り付けられたものに限られず、例えば、可動部材４が粘着性を有する場合には、可動部材４の一部であってもよい。また、シート取出具１，１Ａは、付着材６，６Ａが設けられる可動部材４を備えていればよく、付着材６，６Ａは必須の構成要素ではない。
【００５４】
また、収容部１０，１０Ａは、複数枚のシート７，７Ａを重なった状態で収容可能であれば、その形状は限定されない。また、収容部１０，１０Ａは、サイズが異なる３種類以上のシート７を収容可能であってもよく、あるいは、一種類のシート７のみを収容可能であってもよい。また、シート取出具１によって取り出されるシート７，７Ａは、咬合紙以外の樹脂フィルムや樹脂シート、金属箔等であってもよい。
【００５５】
以上説明したように、第１の態様のシート取出具（１；１Ａ）は、以下の構成を有している。シート取出具（１；１Ａ）は、収容部（１０；１０Ａ）と、可動部材（４；４Ａ）とを備えている。収容部（１０：１０Ａ）は、複数枚のシート（７；７Ａ）を重なった状態で収容する。可動部材（４；４Ａ）には、付着材（６；６Ａ）が設けられる。可動部材（４；４Ａ）は、複数枚のシート（７；７Ａ）から離れた第１位置と、この第１位置よりも複数枚のシート（７；７Ａ）に近づいた第２位置との間で移動可能である。可動部材（４；４Ａ）は、第２位置に動かされた時に、複数枚のシート（７：７Ａ）のうちの一枚のシート（７；７Ａ）を付着材（６；６Ａ）を介して保持する。この態様によれば、利用者は、シート取出具（１；１Ａ）を利用して、複数枚のシート（７；７Ａ）のうちの一枚のシート（７；７Ａ）のみを、容易、かつ、速やかに、取り出すことができる。
【００５６】
また、第２の様態のシート取出具（１）は、第１の様態との組み合わせにより実現され得る。第２の様態の複数枚のシート（７）は、複数枚の咬合紙である。この態様によれば、利用者は、シート取出具（１）を利用して、一枚の咬合紙を、容易、かつ、速やかに、取り出すことができる。また、この場合、咬合紙であるシート（７）を直接手で触ることなく衛生的に取り出すことができる。
【００５７】
また、第３の様態のシート取出具（１）は、第１又は第２の様態との組み合わせにより実現され得る。第３の様態の可動部材（４）は、回転可能である。可動部材（４）は、回転することで、第１位置及び第２位置に移動する。この態様によれば、可動部材（４）を回転することによって第１位置及び第２位置に移動することができる。
【００５８】
また、第４の様態のシート取出具は、第３の様態との組み合わせにより実現され得る。第４の態様の可動部材（４）の重心は、可動部材（４）の回転中心を挟んで、可動部材（４）における付着材（６）が設けられる箇所とは反対側に位置する。可動部材（４）は、一枚のシート（７）を保持した状態において、第２位置から第１位置まで可動部材（４）の自重により回転する。この態様によれば、可動部材（４）の自重を利用して、可動部材（４）を第２位置から第１位置まで移動することができる。このため、利用者は、可動部材（４）を第２位置から第１位置まで動かす必要がなく、一枚のシート（７）を一層容易に取り出すことができる。
【００５９】
また、第５の様態のシート取出具（１）は、第３又は第４の様態との組み合わせにより実現され得る。第５の態様のシート取出具（１）は、接触部（１２）を更に備えている。接触部（１２）は、可動部材（４）に付着材（６）を介して保持された一枚のシート（７）における付着材（６）とは反対側の面に当該一枚のシート（７）とは別のシート（８）が付いた状態において、可動部材（４）が第２位置から第１位置まで回転した時に、別のシート（８）に接触する。この態様によれば、別のシート（８）は、可動部材（４）が第２位置から第１位置まで回転した時、接触部（１２）に接触して付着材（６）に取り付けられたシート（７）から剥がれ落ちる。したがって、本実施形態のシート取出具（１）は、一枚のシート（７）だけを取り出しやすい。
【００６０】
また、第６の態様のシート取出具（１；１Ａ）は、第１〜第５の様態との組み合わせにより実現され得る。第６の態様の収容部（１０；１０Ａ）は、サイズの異なる複数種類のシート（７；７Ａ）を収容可能である。この態様によれば、サイズの異なる複数種類のシート（７；７Ａ）を、容易、かつ、速やかに、取り出すことができる。
【符号の説明】
【００６１】
１，１Ａ  シート取出具
１０，１０Ａ  収容部
１２  接触部
４，４Ａ  可動部材
６，６Ａ  付着材
７，７Ａ  シート
８  別のシート
【図１】
2020033125.tif 000003
【図２】
2020033125.tif 000004
【図３】
2020033125.tif 000005
【図４】
2020033125.tif 000006
【手続補正書】
【提出日】平成31年1月21日(2019.1.21)
【手続補正１】
【補正対象書類名】特許請求の範囲
【補正対象項目名】全文
【補正方法】変更
【補正の内容】
【特許請求の範囲】
【請求項１】
複数枚のシートを重なった状態で収容する収容部と、
可動部材と、
前記可動部材に設けられる付着材とを備え、
前記可動部材は、前記複数枚のシートから離れた第１位置と、この第１位置よりも前記複数枚のシートに近づいた第２位置との間で移動可能であり、
前記可動部材は、前記第２位置に動かされた時に、前記複数枚のシートのうちの一枚のシートを前記付着材を介して保持し、
前記付着材はワックスから形成された、
シート取出具。
【請求項２】
前記可動部材は、回転可能であって、回転することで前記第１位置及び前記第２位置に移動する、
請求項１に記載のシート取出具。
【請求項３】
複数枚のシートを重なった状態で収容する収容部と、
付着材が設けられる可動部材とを備え、
前記可動部材は、前記複数枚のシートから離れた第１位置と、この第１位置よりも前記複数枚のシートに近づいた第２位置との間で移動可能であり、
前記可動部材は、前記第２位置に動かされた時に、前記複数枚のシートのうちの一枚のシートを前記付着材を介して保持し、
前記可動部材は、回転可能であって、回転することで前記第１位置及び前記第２位置に移動し、
前記可動部材の重心は、前記可動部材の回転中心を挟んで、前記可動部材における前記付着材が設けられる箇所とは反対側に位置し、
前記可動部材は、前記一枚のシートを保持した状態において、前記第２位置から前記第１位置まで前記可動部材の自重により回転する、
シート取出具。
【請求項４】
前記可動部材に前記付着材を介して保持された前記一枚のシートにおける前記付着材とは反対側の面に当該一枚のシートとは別のシートが付いた状態において、前記可動部材が前記第２位置から前記第１位置まで回転した時に、前記別のシートに接触する接触部を更に備えた、
請求項２又は請求項３に記載のシート取出具。
【請求項５】
前記収容部は、サイズの異なる複数種類のシートを収容可能である、
請求項１〜４のいずれか１項に記載のシート取出具。
【請求項６】
前記複数枚のシートは、複数枚の咬合紙である、
請求項１〜５のいずれか１項に記載のシート取出具。
【手続補正２】
【補正対象書類名】明細書
【補正対象項目名】０００６
【補正方法】変更
【補正の内容】
【０００６】
本開示の一態様に係るシート取出具は、収容部と、可動部材と、付着材とを備えている。前記収容部は、複数枚のシートを重なった状態で収容する。前記付着材は、前記可動部材に設けられる。前記可動部材は、前記複数枚のシートから離れた第１位置と、この第１位置よりも前記複数枚のシートに近づいた第２位置との間で移動可能である。前記可動部材は、前記第２位置に動かされた時に、前記複数枚のシートのうちの一枚のシートを前記付着材を介して保持する。前記付着材はワックスから形成されている。
また、本開示の別の一態様に係るシート取出具は、収容部と、可動部材とを備えている。前記収容部は、複数枚のシートを重なった状態で収容する。前記可動部材には、付着材が設けられる。前記可動部材は、前記複数枚のシートから離れた第１位置と、この第１位置よりも前記複数枚のシートに近づいた第２位置との間で移動可能である。前記可動部材は、前記第２位置に動かされた時に、前記複数枚のシートのうちの一枚のシートを前記付着材を介して保持する。前記可動部材は、回転可能であって、回転することで前記第１位置及び前記第２位置に移動する。前記可動部材の重心は、前記可動部材の回転中心を挟んで、前記可動部材における前記付着材が設けられる箇所とは反対側に位置する。前記可動部材は、前記一枚のシートを保持した状態において、前記第２位置から前記第１位置まで前記可動部材の自重により回転する。
【手続補正３】
【補正対象書類名】明細書
【補正対象項目名】００３７
【補正方法】変更
【補正の内容】
【００３７】
このため、本実施形態のシート取出具１は、接触部１２を備えている。本実施形態の接触部１２は、前壁部２２である。図３Ｃに示すように、突出部４１に付着材６を介して保持された一枚のシート７の下面に別のシート８が付いた状態において、可動部材４が第２位置から第１位置まで回転した時、別のシート８が前壁部２２（接触部１２）の後面に接触する。すなわち、可動部材４が第２位置に位置した時における突出部４１の位置よりも、可動部材４の回転中心が上方に位置するため、可動部材４が第２位置から第１位置に向かって回転した時、付着材６に取り付けられたシート７及び別のシート８は、わずかながら前方に移動しながら上昇する。このため、別のシート８は、可動部材４が第２位置から第１位置まで回転した時、可動部材４の回転中心よりも下方に位置した前壁部２２の後面に接触する。この接触により、別のシート８は、付着材６に取り付けられたシート７から剥がれ落ちる。したがって、本実施形態のシート取出具１は、一枚のシート７だけを取り出しやすい。なお、この場合、付着材６に取り付けられたシート７も、前壁部２２の後面に接触する場合があるが、このシート７は、付着材６の粘着力によって付着材６から外れない。したがって、付着材６に取り付けられたシート７が前壁部２２の後面に接触する場合であっても、一枚のシート７だけを取り出すことができる。